(57)【要約】【課題】取付器具に取り付けた状態でより容易に照射方向を調節できるようにすること。【解決手段】直管形ＬＥＤ照明灯Ｘは、発光ダイオード配設基板５を収容する本管１と、本管１の両端に設けられる一対のプラグ２と、本管１とプラグ２との間に本管１に対して中心軸Ｏ方向に移動可能かつ中心軸Ｏ廻りに回転不能に設けられる端面部材６と、本管１と端面部材６との間に設けられプラグ２の内面２Ａと端面部材６の外面６Ａとを密着させて接合を保持する押圧材７と、を有する。プラグ２の内面２Ａに中心軸Ｏ廻りに放射状に所定の中心角α度毎に配置され放射方向に一対の円弧形状の直線エッジ２０Ａを有する複数の突起２０が設けられる。端面部材の外面６Ａに各突起２０と対の形状を有して各突起２０と係合する複数の突起６０が設けられる。各突起は、両側面に裾広がりの傾斜面を有する。【選択図】図８
2014238954.tif 000002
【特許請求の範囲】
【請求項１】
発光ダイオード配設基板を収容する本管と、内面に前記本管の中心軸廻りに放射状に所定の中心角毎に配置され放射方向に一対の断面円弧形状の直線エッジを有する複数の突起が設けられた一対のプラグと、前記本管と前記プラグとの間に前記本管に対して前記中心軸方向に移動可能かつ前記中心軸廻りに回転不能に設けられ外面に前記各突起と対の形状を有して前記各突起と係合する複数の突起が設けられた一対の端面部材と、前記本管と前記端面部材との間に設けられ前記プラグの前記各突起と前記端面部材の前記各突起とが係合するように前記プラグの内面と前記端面部材の外面とを密着させて接合を保持する押圧材と、有する直管形ＬＥＤ照明灯。
【請求項２】
前記プラグと前記端面部材とに設けられる各突起のそれぞれが前記放射方向に向かって両側面に裾広がりの傾斜面を有することを特徴とする請求項１に記載の直管形ＬＥＤ照明灯。
【発明の詳細な説明】
【技術分野】
【０００１】
本発明は、直管形発光ダイオード式照明灯に関する。特に、取付角度を変更することができる直管形発光ダイオード式照明灯に関する。
【背景技術】
【０００２】
近年、蛍光灯から発光ダイオード式照明灯（以下、ＬＥＤ照明灯という）への転換が進んでいる。一般に、直管形ＬＥＤ照明灯は、ヒートシンクとシェードとを含んで成る本管と、本管の両端に設けられる口金とを備えている。口金は、汎用の直管形蛍光灯と同じ規格または直管形ＬＥＤ照明灯の専用の規格の端子ピンを有している。
【０００３】
既存の蛍光灯の取付器具の殆どは、ソケットが固定されている。発光ダイオード素子（ＬＥＤ）から発せられる光が指向性を有しているので、取付器具の構造とソケットの穴の配置によって直管形ＬＥＤ照明灯を所要の照射方向に光を照射できるように取り付けることができないことがある。そのため、既存の取付器具に直管形ＬＥＤ照明灯を適切に取り付けるためには、予め構造が異なる複数種類の取付器具に合わせてより多くの形式の口金を備えた直管形ＬＥＤ照明灯が提供される必要がある。
【０００４】
そこで、口金を本管に対して動かせるようにして取付角度を変更し照射方向を調節できるようにした直管形ＬＥＤ照明灯が考え出されている。例えば、特許文献１に代表的に開示されているように、外周に歯車形の突起を有し本管に対して移動する可動部材と、内周に可動部材の突起と係合する突起を有し本管に固定される固定部材とを設けて、ソケットの穴の配置に対応させて端子ピンの位置を調整しながら口金を本管に取り付ける構成の直管形ＬＥＤ照明灯が知られている。特許文献１の発明によると、全長が同一である限り既存の取付器具の構造に依存せずに直管形ＬＥＤ照明灯を取り付けることができる。
【０００５】
特許文献２は、本管の端を封止する封止体と口金との間に回転筒体を備え、押圧ばねで形成され封止体と口金とを連結する連結体の押圧力に抗して回転筒体を回転させて、回転筒体の内底面に形成された複数の突起と封止体の外面に形成された複数の突起とを合わせることによって端子ピンの位置を決めることができる直管形ＬＥＤ照明灯を開示している。特許文献２の発明によると、口金と本管とをビスまたは螺子留めで固定する必要がないので、照射方向をより容易に調整することができる。
【０００６】
特許文献３は、外管体の外周面に環状の複数の断面Ｖ形の溝を形成し、口金の内周面に中心軸に対して垂直な放射方向に変位し得る係合突起を設けて、係合突起の変位によって係合突起を周方向に移動可能にするとともに係合突起がＶ形の溝に係合できるようにした口金を開示している。特許文献３の発明によると、取付器具を本管に取り付けた状態で本管を回転させることによって取付角度を変更することができるとともに、口金毎にそれぞれ端子ピンを位置決めする必要がないので、より容易に照射方向を調節することができる。
【先行技術文献】
【特許文献】
【０００７】
【特許文献１】特開２０１０−１３５１３１号公報（段落００２５等）
【特許文献２】特開２０１０−２１２１６２号公報（段落００３７−００５０）
【特許文献３】特開２００９−４３４４７号公報（段落００６３−００６８）
【発明の概要】
【発明が解決しようとする課題】
【０００８】
外管体の外周面に形成された溝と口金の内周面に設けた係合突起とを係合させる構成の直管形ＬＥＤ照明灯では、本管を全体的に点的ないし線的な結合によって本管を支持するようにせざるを得ない。そのため、取付器具の振動にともなって本管が振動するおそれがある。本管の振動を防止するために、十分強い力で溝に突起を結合させるようにすると、本管を円滑に回転させることができなくなり、力任せに回転させて口金がソケットから外れたり、本管が捩り方向の力を受けて破損するおそれがある。
【０００９】
本発明は、上記課題に鑑みて、本管が振動したり、破損したりすることをより確実に防止しながら本管を取付器具に取り付けた状態で照射方向をより容易に調整することができる改良された直管形ＬＥＤ照明灯を提供することを目的とする。本発明のいくつかの利点は、実施の形態の説明においてその都度具体的に記述される。
【課題を解決するための手段】
【００１０】
本発明の直管形ＬＥＤ照明灯は、上記課題を解決するために、発光ダイオード配設基板（５）を収容する本管（１）と、内面（２Ａ）に本管（１）の中心軸（Ｏ）廻りに放射状に所定の中心角（α）毎に配置され放射方向に一対の断面円弧形状の直線エッジ（２０Ａ）を有する複数の突起（２０）が設けられた一対のプラグ（２）と、本管（１）とプラグ（２）との間に本管（１）に対して中心軸（Ｏ）方向に移動可能かつ中心軸（Ｏ）廻りに回転不能に設けられ外面（６Ａ）に各突起（２０）と対の形状を有して各突起（２０）と係合する複数の突起（６０）が設けられた一対の端面部材（６）と、本管（１）と端面部材（６）との間に設けられプラグ（２）の各突起（２０）と端面部材（６）の各突起（６０）とが係合するようにプラグ（２）の内面（２Ａ）と端面部材（６）の外面（６Ａ）とを密着させて接合を保持する押圧材（７）と、有するようにされる。
【００１１】
好ましくは、プラグ（２）と端面部材（６）とに設けられる各突起（２０）と（６０）のそれぞれが放射方向に向かって両側面に裾広がりの傾斜面（２０Ｂ）ないし（６０Ｂ）を有するようにされる。なお、上記括弧内に記載された符号は、説明の便宜上付されたものであり、本発明を図面に示される具体的な実施の形態に限定するものではない。
【発明の効果】
【００１２】
本発明の直管形ＬＥＤ照明灯は、プラグの内面と端面部材との外面とを密着させて複数の突起同士を係合させながら接合を保持する構成であるので、プラグが本管を面的な係合と接合によって支持する。そのため、プラグがソケットから脱落して本体が落下したり、本管が振動したりするおそれがない。また、過大な力で本管を保持する必要がなく、一対の平行な断面円弧形状の直線エッジを有する複数の突起同士を係合させてプラグを本管に対して固定する構成であるので、本管をプラグに対して円滑に回転させることができる。その結果、本管を取付器具に取り付けた状態で照射方向を調節することができる。
【図面の簡単な説明】
【００１３】
【図１】本発明の直管形ＬＥＤ照明灯の全体を示す斜視図である。
【図２】プラグと端面部材を示す斜視図である。
【図３】プラグと端面部材とを示す底面図である。
【図４】プラグと端面部材とを示す側面断面図である。
【図５】端面部材を示す斜視図である。
【図６】端面部材を示す上面図である。
【図７】端面部材を示す側面断面図である。
【図８】プラグと端面部材の突起同士の係合示す側面断面図である。
【発明を実施するための形態】
【００１４】
図１は、直管形ＬＥＤ照明灯の全体の構成を模式的に示す。図１に示される直管形ＬＥＤ照明灯は、出力に対応して長さが異なる直管形蛍光灯の全長と同じ長さである。図２ないし図４は、端面部材が内面に密着している状態におけるプラグを示す。図５ないし図７は、本管から外されてプラグに係合していない状態の端面部材を示す。図８は、図３におけるＡ−Ａの断面を示す。
【００１５】
直管形ＬＥＤ照明灯Ｘは、本管１と、本管１の両端に設けられる一対のプラグ（口金）２と、を備える。本管１は、ヒートシンク１Ａとシェード１Ｂとを含んで成る。樹脂製のプラグ２は、端子ピン３を有する。端子ピン３は、取付器具のソケットの端子ピン３を挿嵌させる端子穴に合わせて設けられる。例えば、既存の汎用の直管形蛍光灯の取付器具に取り付けられる構造の実施の形態の直管形ＬＥＤ照明灯Ｘのプラグ２には、ソケットの一対の端子穴の規格に合わせてプラグ２のそれぞれに一対の端子ピン３が設けられている。
【００１６】
本管１は、光源である複数の発光ダイオード素子４を配設した銅または樹脂で成る基板５を収容する。以下、基板５をＬＥＤ基板（発光ダイオード配設基板）という。ＬＥＤ基板５は、発光ダイオード素子（ＬＥＤ）４が配設されている発光面５Ａがポリカーボネイトで成る透明のシェード１Ｂに向かうように本管１の中に配置される。基板５は、図示しない螺子のような留具によってアルミニウムで成るヒートシンク１Ａに取り付けられて固定されている。ヒートシンク１Ａとシェード１Ｂとは、一体化されて固定されている。ヒートシンク１Ａとシェード１Ｂとは、一体化されて本管１を形成するように組み合わされる。
【００１７】
プラグ２の内面２Ａには、複数の突起２０が設けられている。プラグ２の内面２Ａは、本管１の端面に対向する面に相当する。プラグ２には、図２に示されるように、端子ピン３を貫通させて支持する一対の端子ピン支持体２Ｂが一体成形されている。端子ピン３は、支持体２Ｂに形成された透し孔に挿通されプラグ２の壁面を貫通して固定される。
【００１８】
プラグ２の内面２Ａに設けられる複数の突起２０は、具体的に図３に示されるように、本管１の中心軸Ｏ廻りに放射状に全周にわたって所定の中心角（回転角）α度毎に配置される。実施の形態のプラグ２においては、突起２０が放射状に中心角１２度毎に設けられている。
【００１９】
各突起２０は、図８に示されるように、放射方向に一対の断面円弧形状（Ｒ）の直線エッジ２０Ａを有する。直線エッジ２０ＡのＲは、十数μｍ程度の触れて感じられる程度の小さい大きさでよい。特に、実施の形態の直管形ＬＥＤ照明灯Ｘでは、プラグ２に設けられる複数の突起２０のそれぞれが、放射方向に向かって両側面に裾広がりの傾斜面２０Ｂを有する。突起２０の傾斜面２０Ｂの望ましい傾斜角度は４５度である。
【００２０】
一対の端面部材６は、それぞれ本管１とプラグ２との間に本管１に対して本管の中心軸Ｏに沿った方向に移動可能かつ中心軸Ｏ廻りに回転不能に設けられる。端面部材６は、本管１によってプラグ２の内側に押し込まれるような状態でフラグ２の中に収容される。同時に、本管１の両端がプラグ２に設けられている図示しないストッパによってプラグ２から抜け出さないように収容され、本管１からプラグ２が外れないようにされている。
【００２１】
端面部材６の外面６Ａには、図４および図５に示されるように、プラグ２０に設けられている複数の突起２０と対の形状を有して各突起２０とそれぞれ係合する複数の突起６０が設けられている。端面部材の外面６Ａは、プラグ２に内面２Ａに対向する面である。各突起６０は、放射状に中心角α毎に必要数配置される。実施の形態の端面部材６においては、突起２０が放射状に中心角１２度毎に設けられている。各突起６０は、プラグ２の各突起２０に対して対になる断面円弧形状の直線エッジ６０Ａを有する。
【００２２】
プラグ２の各突起２０が傾斜面２０Ｂを有する場合は、図８に示されるように、突起２０と対の形状を有する端面部材６の各突起６０もまた、放射方向に向かって両側面に裾広がりの傾斜面６０Ｂを有する。突起６０の傾斜面６０Ｂの傾斜角度は、傾斜面２０Ｂと傾斜面６０Ｂとが密着して対面するように、９０度から傾斜面２０Ｂの傾斜角度を差し引いた角度である。したがって、傾斜面２０Ｂの傾斜角度が４５度のとき、傾斜面６０Ｂの角度は４５度である。
【００２３】
端面部材６の外面６Ａは、図４および図８に示されるように、本管１がプラグ２に取り付けられるときにプラグ２の内面２Ａに密着する。端面部材６の複数の突起６０の高さは、プラグ２の複数の突起２０の高さとほぼ同じである。突起２０と突起６０の高さは、共にプラグ２と端面部材６との相対位置がずれない範囲で可能な限り小さくされる。
【００２４】
したがって、実施の形態の直管形ＬＥＤ照明灯Ｘでは、本管１は、プラグ２と端面部材６との間における実質面的な係合と接合によって中心軸Ｏ廻りの方向に回転しないように支持される。このとき、プラグ２の複数の突起２０と端面部材６の複数の突起６０の高さが十分に低いので、プラグ２と端面部材６とは、係合というよりは、むしろ各突起２０と各突起６０との凹凸で増大される摩擦力によって接合していると見做すことができる。
【００２５】
そのため、プラグ２は、本管１が中心軸Ｏ廻りに回転しない程度の必要十分な小さい押圧力で本管１を支持することができ、取付器具の振動によって本管１が振動したり、プラグ２がソケットから脱落して直管形ＬＥＤ照明灯Ｘが落下したりするおそれがなく、本管１を円滑に回転させることができ、直管形ＬＥＤ照明灯Ｘを取付器具に取り付けた状態でより容易に照射方向を調節することができる。
【００２６】
端面部材６には、図５および図６に示されるように、プラグ２に固定される端子ピン３に対して本管１が所定の回転角度の範囲で回転することができるように、端子ピン３を貫通させる円弧形状の貫通孔６Ｂが形成されている。貫通孔６Ｂは、端子ピン３の移動を規制することによって実質的に本管１の回転角度を規定する。実施の形態の直管形ＬＥＤ照明灯Ｘでは、本管１を７２度の範囲で回動させることができる。端子ピン３と基板５の間は、リード線ないしはプリント配線によって電気的に接続される。また、本管１に直流電源回路が設けられる構成である場合は、端子ピン３と図示しない直流電源との間をリード線で接続する。
【００２７】
本管１の端と端面部材６との間に銅のような金属で成る板ばねのような押圧材７が設けられる。押圧材７は、本管１をプラグ２の図示しないストッパで止められる位置まで押し戻すとともに、本管１が中心軸Ｏ廻りに回転しない程度の必要十分な小さい押圧力で端面部材６をプラグ２に押し付ける。その結果、押圧材７は、プラグ２の複数の各突起２０と端面部材６の複数の各突起６０とが係合するように、プラグ２の内面２Ａと端面部材６の外面６Ａとを密着させて接合を保持し、プラグ２に本管１を支持させる。
【００２８】
押圧材７は、より具体的には、図４に示されるように、プラグ２の複数の突起２０と、各突起２０に対してほぼ反転した対の形状を有する端面部材６の複数の突起６０とを係合させて、端面部材６がプラグ２の中に収容されている状態で端面部材６をプラグ２に押し付けるように取り付けられる。押圧材７は、中心軸Ｏに沿って穿設されている透し孔６Ｃを貫通してプラグ２の螺子穴２Ｃに螺子８を螺合させることによってプラグ２に固定される。
【００２９】
以上のことから、実施の形態の直管形ＬＥＤ照明灯では、プラグと端面部材との間における実質面的な係合と接合によって本管が中心軸廻りの方向に回転しないように支持される。プラグと端面部材の各突起同士の係合は、各突起の凹凸で増大した摩擦力で接合しているような状態であるとともに、各突起が放射方向に断面円弧形状の直線エッジを有するので、本管が振動したりすることがなく、一方で小さい力で本管を円滑に中心軸廻りに回動させて所望の照射角度に位置決めさせることができる。
【００３０】
また、実施の形態の直管形ＬＥＤ照明灯では、各突起の高さが十分に低いので、本管を回動させるときに各突起同士が相互に乗越える際に、本管が中心軸に沿った方向に相対的に移動する移動量は僅かである。したがって、本管がプラグから外れることがない。特に、プラグと端面部材の複数の各突起がそれぞれ放射方向に向かって両側面に裾広がりの傾斜面を有する構成である場合は、突起同士が乗越えるときに生じる抵抗がより小さくなり、本管のより円滑な回動が達成される。
【００３１】
なお、直管形ＬＥＤ照明灯Ｘの全体を中心軸Ｏ廻りに回転させることによってソケットに端子ピン３を嵌装する構造の取付器具の場合は、本管１を回動させて照射方向を調節する方向が本体をソケットに取り付ける方向とが同じであると、照射方向を調節するために本管１をプラグ２に対して相対的に回転させるときに本体がソケットから外れてしまうおそれが高いので、本管１をプラグ２に対して回転させる方向を本体をソケットに取り付ける方向と反対の方向にするように構成することが望ましい。
【００３２】
本発明の直管形ＬＥＤ照明灯は、具体的に説明されている実施の形態の直管形ＬＥＤ照明灯と同一の構成である必要はない。すでにいくつかの例が示されているが、本発明の技術思想を逸脱しない範囲で変形ないし応用して実施することができる。また、本発明の直管形ＬＥＤ照明灯は、公知の直管形ＬＥＤ照明灯に係る他の技術を組み合わせて実施することができる。例えば、一対のプラグの構成が異なっていてもよい。また、プラグに設けられる端子ピンが１本であったり、鉤形であったりしてもよい。
【産業上の利用可能性】
【００３３】
本発明は、照明器具の技術分野で広く利用できる。本発明は、直管形蛍光灯から直管形ＬＥＤ照明灯への換装をより容易にして、直管形ＬＥＤ照明灯の普及を促進する。本発明は、省エネルギが期待されるＬＥＤ照明灯の発展に寄与する。
【符号の説明】
【００３４】
Ｘ  直管形発光ダイオード式照明灯（直管形ＬＥＤ照明灯）
１  本管
１Ａ  ヒートシンク
１Ｂ  シェード
２  プラグ（口金）
２Ａ  内面
２Ｂ  端子ピン支持体
２Ｃ  螺子穴
３  端子ピン
４  発光ダイオード素子（ＬＥＤ）
５  発光ダイオード配設基板（ＬＥＤ基板）
６  端面部材
６Ａ  外面
６Ｂ  貫通孔
６Ｃ  取付孔
７  押圧材
８  螺子
２０  突起
２０Ａ，６０Ａ  直線エッジ
２０Ｂ，６０Ｂ  傾斜面
【図１】
2014238954.tif 000003
【図２】
2014238954.tif 000004
【図３】
2014238954.tif 000005
【図４】
2014238954.tif 000006
【図５】
2014238954.tif 000007
【図６】
2014238954.tif 000008
【図７】
2014238954.tif 000009
【図８】
2014238954.tif 000010